(57)【特許請求の範囲】
【請求項１】
少なくとも一つのポリメタクリレート分散性粘度指数向上剤と少なくとも二つのシールスウエル添加剤を含んで成り、少なくとも二つのシールスウエル添加剤のうち一方がジエステルであり、少なくとも二つのシールスウエル添加剤のもう一方がスルホンであり、そして更に添加剤組成物がトランスミッション液添加剤であり、少なくとも二つのシールスウエル添加剤が、添加剤組成物の全重量に対して１０重量％から５０重量％の範囲の量で存在する、ことを特徴とする添加剤組成物。
【請求項２】
ジエステルが、モノアルコールと二塩基酸のエステル、および一塩基酸とジオールのエステルのなかの少なくとも一つである、請求項１に記載の組成物。
【請求項３】
少なくとも一つのポリメタクリレート分散性粘度指数向上剤と少なくとも二つのシールスウエル添加剤、ただし、少なくとも二つのシールスウエル添加剤のうち一方がジエステルであり、少なくとも二つのシールスウエル添加剤のもう一方がスルホンである、を含んで成る潤滑剤組成物への添加に適した添加剤組成物。
【請求項４】
潤滑システムに、少なくとも一つのポリメタクリレート分散性粘度指数向上剤と少なくとも二つのシールスウエル添加剤、ただし、少なくとも二つのシールスウエル添加剤のうち一方がジエステルであり、少なくとも二つのシールスウエル添加剤のもう一方がスルホンである、を含む添加剤パッケージを加えることを含んで成る、シールの体積を増加させる方法。
【発明の詳細な説明】
【技術分野】
【０００１】
本発明は、少なくとも一つの分散性粘度指数向上剤と少なくとも二つのシールスウエル添加剤を含んで成る添加剤組成物に関する。
【背景技術】
【０００２】
シールスウエル剤は既知のものであり、エンジンの潤滑や、新しいエンジンおよび／または低燃費エンジンのシールの整備に使用されている。特にシール性能は使用および老化により低下する傾向がある。シールは、オートマチックトランスミッション液などの流体組成物がシール材を越えて漏れるところまで硬化あるいは縮小する傾向がある。この漏出のため、操作に支障をきたしたり、また全く操作できなくなることがある。
【０００３】
シール整備のために現在使用されている組成物は通常、スルホンまたはエステルのようなシールスウエル添加剤、および適切な添加剤パッケージの一部またはすべてを含む、完全に添加された潤滑剤混合物である。しかしながら、スルホンおよびエステルシールスウエル添加剤のみから成る、シール整備用の組成物は、常温でこれらの組成物中に相分離を生じる。
【発明の開示】
【課題を解決するための手段】
【０００４】
本開示によると、少なくとも一つの分散性粘度指数向上剤と少なくとも二つのシールスウエル添加剤を含んで成る添加剤組成物が開示される。
【０００５】
別の実施態様では、少なくとも一つの分散性粘度指数向上剤と少なくとも二つのシールスウエル添加剤を含んで成る潤滑剤組成物への添加に適したトップ処理組成物が開示される。
【０００６】
別の実施態様では、少なくとも一つの少量の添加剤組成物を含んで成る潤滑剤組成物が開示されており、ここで該添加剤組成物は、主に少なくとも一つの分散性粘度指数向上剤と少なくとも二つのシールスウエル添加剤から成る。
【０００７】
別の実施態様では、少なくとも一つの分散性粘度指数向上剤と少なくとも二つのシールスウエル添加剤を組み合わせることを含んで成る、潤滑組成物の混和性を向上させる方法が開示されており、ここでシールスウエル添加剤の一つはジエステル、またもう一つのシールスウエル添加剤はスルホンである。
【０００８】
別の実施態様では、少なくとも二つのシールスウエル添加剤に少なくとも一つの分散性粘度指数向上剤を加えることを含んで成る、潤滑組成物の混和性を向上させる方法が開示されている。
【０００９】
別の実施態様では、潤滑システムに少なくとも一つの分散性粘度指数向上剤と少なくとも二つのシールスウエル添加剤を含んで成る添加剤パッケージを加えることを含んで成る、シールの容積を増加させる方法が開示されている。
【００１０】
本開示の追加的な目的および利点は、以下の記載により部分的に説明され、また本開示を実行することにより習得することができる。本開示の目的および利点は、添付の請求項で特に示されている要素および組み合わせを用いて実現および達成される。
【００１１】
前述の概要および以下の詳細な説明は、共に例示および説明のみを目的としたものであり、本開示を請求された通りに限定するものではないと理解される。
【発明を実施するための最良の形態】
【００１２】
本開示は、少なくとも一つの分散性粘度指数向上剤と少なくとも二つのシールスウエル添加剤を含んで成る添加剤組成物に関する。
【００１３】
少なくとも一つの分散性粘度指数向上剤（「ＶＩＩ」）は、オレフィンコポリマーＶＩＩ、ポリアルキル（メタ）アクリレートＶＩＩ、スチレン・マレイン酸エステルＶＩＩ、水素化スチレンイソプレンポリマーＶＩＩ、および上述の製品の混合物であり得る。少なくとも一つの分散剤／酸化防止剤ＶＩＩもまた本明細書における使用に適しているといえる。少なくとも一つの分散性粘度指数向上剤は、一般的には鉱油溶媒などの不活性溶媒中の溶液の形態で提供され、この鉱油溶媒は通常高度に精製された鉱油である。得られた粘度指数向上剤溶液の沸点はしばしば２００℃以上、また比重は２５℃で１未満となることがある。またこれは、ＡＳＴＭ  Ｄ−５２７５の４０サイクルのＦＩＳＳＴ（燃料噴射器せん断安定性テスト）の後、完成した流体組成物の粘度が１００℃で少なくとも５．０ｃＳｔとなるような十分なせん断安定性を有する。
【００１４】
粘度指数向上剤の非限定的な例として、ポリイソブテン、ポリメタクリル酸エステル、ポリアクリル酸エステル、ジエンポリマー、ポリアルキルスチレン、アルケニルアリール共役ジエンコポリマー、ポリオレフィン、および多官能性粘度向上剤などがある。
【００１５】
ある実施態様で、少なくとも一つの分散性粘度指数向上剤は、ポリマー含有量が約２０重量％から約９５重量％、例えば約５０重量％から約９５重量％の範囲であり、また窒素含有量が約０重量％から約０．５重量％、例えば約０．１５重量％から約０．２５重量％の範囲である炭化水素溶液として提供される。少なくとも一つの分散性粘度指数向上剤を含んで成る完成した流体は、例えばＡＳＴＭテスト法Ｄ−３９４５ａを使用し、４５以下、例えば３０またはそれ以下、またさらなる例としては１５あるいはそれ以下の永久せん断安定度指数（ＰＳＳＩ値）を示す。
【００１６】
ある実施態様で、少なくとも一つの分散性粘度指数向上剤は、官能化オレフィンコポリマーであり得る。ポリマーまたはコポリマー基質は、エチレンとプロピレン、またはエチレンとＣ３からＣ２３のアルファ−オレフィンの範囲内の少なくとも一つの高級オレフィンから作られる。
【００１７】
本明細書において使用されるポリマーの非限定的な例として、エチレンと少なくとも一つのＣ３からＣ２３のアルファ−オレフィンのコポリマーが挙げられる。ある実施態様では、エチレンとプロピレンのコポリマーを使用することができる。プロピレンの代わりにコポリマーを形成するのに適した、またはエチレンおよびプロピレンを組み合わせて使用してターポリマーを形成する、その他のα−オレフィンとしては、１−ブテン、２−ブテン、イソブテン、１−ペンテン、１−ヘキセン、１−オクテンおよびスチレン；１，５−ヘキサジエン、１，６−ヘプタジエン、１，７−オクタジエンなどのα，ω−ジオレフィン；４−メチルブテン−１、５−メチルペンテン−１、および６−メチルヘプテン−１などの分岐鎖アルファ−オレフィン；およびそれらの混合物が挙げられる。
【００１８】
該添加剤組成物には、７５重量パーセント未満、例えば約１重量パーセントから約６０重量パーセント、またさらなる例としては約１０重量パーセントから約５０重量パーセントの分散性粘度指数向上剤が含まれ得る。
【００１９】
ある実施態様で、潤滑組成物を含んで成る潤滑システムに該添加剤組成物を加えることができる。活性成分をベースとして（すなわち、供給された粘度指数向上剤にまつわる不活性希釈剤または溶媒の重量を除外して）、該潤滑剤組成物は、約０．５重量％から約１０重量％、例えば約１重量％から約１０重量％、またさらなる例としては約５重量％から約８重量％の分散性粘度指数向上剤を含むことができる。与えられた任意の状況下で、必要あるいは所望に応じ、この範囲からの多少の逸脱が可能である。
【００２０】
該添加剤組成物にはまた、少なくとも二つのシールスウエル添加剤が含まれる。シールを膨張させる任意の化合物が、本開示の範囲内に含まれるものと理解される。少なくとも二つのシールスウエル添加剤は、エラストマーなどの多様なシール材料に優れたシール整備をもたらすことができる。ある実施態様において、本明細書に開示された組成物は、オートマチックトランスミッション液のＧＭ社製デクスロン（ＤＥＸＲＯＮ(R)）仕様中に見られるポリアクリル酸エステル、アクリル系（ベイマック（ＶＡＭＡＣ(R)））、ニトリル、および蛍光エラストマー（バイトン（ＶＩＴＯＮ(R)））などのシールを膨張させることができる。エラストマーシール材料の種類は上記の種類に限定されてはおらず、ある実施態様では、当添加剤組成物で整備することのできる、シリコン、アクリル系、エチレンアクリル、クロロスルホン化ポリエチレン、あるいは水素化ニトリルなどが含むことができる。
【００２１】
本開示の組成物中で使用される少なくとも二つのシールスウエル添加剤は、油溶性エステル、油溶性スルホン、およびそれらの混合物の中から選択することができる。エステル基盤のシールスウエル添加剤には、モノアルコールと一塩基酸および二塩基酸のエステル、あるいは一塩基性エステルとポリオールのエステルが含まれる。通常、ジエステルなどの適切なエステルとして、Ｃ８−Ｃ１３のアルカノールのアジピン酸エステル、アゼライン酸エステル、およびセバシン酸エステル（またはそれらの混合物）およびＣ４−Ｃ１３のアルカノール（またはそれらの混合物）のフタル酸エステルなどが挙げられる。二つまたはそれ以上の異なった種類のジエステルの混合物（例えばジアルキルアジピン酸エステルとジアルキルアゼライン酸エステルなど）を使用することもできる。このような物質の例には、アジピン酸、アゼライン酸、およびセバシン酸のｎ−オクチル、２−エチルヘキシル、イソデシル、およびトリデシルジエステル；また、フタル酸のｎ−ブチル、イソブチル、ペンチル、ヘキシル、ヘプチル、オクチル、ノニル、デシル、ウンデシル、ドデシル、およびトリデシルジエステルなどがある。シールスウエル添加剤は、アリールエステル、アルキルエステル、および野菜基盤のエステルの中から選択することができる。
【００２２】
ある態様において、少なくとも二つのシールスウエル添加剤は、例えば（ｉ）アジピン酸、（ｉｉ）セバシン酸、または（ｉｉｉ）フタル酸の油溶性ジアルキルエステルであり得る。約０．５重量％から約１５重量％の量のアジピン酸エステルおよびセバシン酸エステルを、潤滑組成物中で使用することができる。フタル酸エステルの場合、潤滑組成物中での量は約０．５重量％から約１０重量％の範囲まで低下し得る。通常、アジピン酸エステル、セバシン酸エステル、またはフタル酸エステルの分子量が大きいほど、前述の範囲内での処理率が高くなる。
【００２３】
適切なスルホンシールスウエル剤は、その開示が引用することによって完全に本明細書に組み込まれている米国特許第３，９７４，０８１号、４，０２９，５８７号、４，０２９，５８８号、および４，１１６，８７７号に記載されている。少なくとも二つのシールスウエル添加剤の別の非限定的な例として、スルホラン、スルホラン誘導体、フェネート、フタル酸エステルの可塑剤、より詳しくはジオクチルフタル酸エステル、ジノニルフタル酸エステル、またはジヘキシルフタル酸エステル、またはその他の可塑剤などのフタル酸可塑剤などがある。その他のシールスウエル組成物としては、３−アルコキシスルホランなどが挙げられ、ここでアルコキシ基には少なくとも約４つから約２５の炭素原子が含まれる。
【００２４】
さらに詳しくは、本明細書中で使用するのに適したシールスウエル添加剤には、３−イソデコキシスルホラン、および１）脂肪族（例えばアルキルまたはアルケニル）、脂環族（例えばシクロアルキルまたはシクロアルケニル）、芳香族、脂肪族置換および脂環族置換の芳香族、芳香族置換の脂肪族および脂環式ラジカル、その他などのような、少なくとも約４つの炭素原子を有する炭化水素ベースのラジカルを有する、その他の置換スルホランが含まれる。例として、１）ブチル、ペンチル、ヘキシル、オクチル、デシル、ドデシル、エイコシル、デセニル、シクロヘキシル、フェニル、トリル、ヘプチルフェニル、イソプロペニルフェニル、およびナフチル；２）ハロ、ニトロ、およびシアノ化合物のようなラジカルの主として炭化水素の特性を変えることのない、非炭化水素置換基を含んだ置換炭化水素ラジカル；および３）そうでなければ炭素から成る鎖または環上に、酸素、窒素、および硫黄など炭素以外の原子が存在しているような炭化水素であるヘテロラジカルがある。
【００２５】
別の適切な置換スルホランに、炭化水素ラジカルが制限なしでアセチレン不飽和物のなかから選択され、また約４つから約１００の炭素原子を含んでいるようなものがある。非限定的な例（すべての異性体を含む）には、ブチル、アミル、ヘキシル、オクチル、デシル、ドデシル、エイコシル、トリアコンタニル、ブテニル、ドデセニル、フェニル、ナフチル、トリル、ドデシルフェニル、テトラプロペン−アルキル化フェニル、フェネチル、シクロヘキシル、およびメチルシクロヘキシルなどがある。各置換炭化水素ラジカルおよびヘテロラジカルはそれぞれ、水素または低級アルキルベースの（通常は低級アルキルの）ラジカルであり、「低級」という用語は７つ以下の炭素原子を含むラジカルを意味する。低級アルキルラジカル（直鎖ラジカルなど、すべての異性体を含む）の非限定的な例に、メチル、エチル、プロピル、ブチル、およびヘキシルがある。
【００２６】
上述の置換スルホランには、３−スルホレンまたはそれらの置換誘導体と、有機ヒドロキシ化合物、通常はアルコールとを反応させることによって作られる種類の化合物が含まれる。これらの生成方法は、例えば米国特許第２，３９３，９２５号、およびシェル開発会社（Ｓｈｅｌｌ  Ｄｅｖｅｌｏｐｍｅｎｔ  Ｃｏｍｐａｎｙ）のデータシートＤＳ−５８：３に、「３−スルホレン」の表題で記載されている。３−スルホレンは二酸化硫黄と、ブタジエンまたはイソプレンのような共役ジエンとを反応させることによって作られる。
【００２７】
また、例えばトリデシルアルコールなど、８つから１３の炭素原子を有する脂肪族アルコールと、１０から６０の炭素原子と２つから３つのエステル結合を有する油溶性飽和ヒドロカルビルエステルとの組み合わせ、例えばフタル酸ジヘキシルが有用である。
【００２８】
アルコールタイプのシールスウエル添加剤は、揮発度の低い直鎖アルキルアルコールであり得る。適切なアルコールの非限定的な例に、デシルアルコール、トリデシルアルコール、およびテトラデシルアルコールなどがある。シールスウエル添加剤として有用な鉱油は、通常粘度が低く、ナフテンおよび芳香族の含有量が高い鉱油である。適切な鉱油の非限定的な例に、エクソン・ネクトン３７（Ｅｘｘｏｎ  Ｎｅｃｔｏｎ−３７）（ＦＮ  １３８０）およびエクソンミネラルシールオイル（Ｅｘｘｏｎ  Ｍｉｎｅｒａｌ  Ｓｅａｌ  Ｏｉｌ）（ＦＮ  ３２００）がある。
【００２９】
ある態様において、少なくとも二つのシールスウエル添加剤は互いに異なるものであり得る。ある実施態様において、少なくとも二つのシールスウエル添加剤のうち一つはジエステル、また少なくとも二つのシールスウエル添加剤のうちもう一方はスルホンであり得る。
【００３０】
少なくとも二つのシールスウエル添加剤は、添加剤組成物の総重量に対し、約１重量％から約７５重量％、例えば約１重量％から約６０重量％、またさらなる例としては約１０重量％から約５０重量％の範囲の量で添加剤組成物中に存在することができる。しかしながら、この少なくとも二つのシールスウエル添加剤は、シール材料にシールスウエル特性を与える限り、任意の所望量または効果量で存在することができる。少なくとも二つのシールスウエル添加剤は、任意の比率で存在し得る。ある態様における第一のシールスウエル添加剤と第二のシールスウエル添加剤の比率は、任意のそしてすべてのサブ範囲を含め、約１：９９から約９９：１の範囲である。
【００３１】
添加剤組成物の動粘度は、１００℃で約２ｃＳｔから約５０ｃＳｔ、例えば約２ｃＳｔから約２０ｃＳｔ、またさらなる例としては約４ｃＳｔから約１０ｃＳｔである。動粘度は、再現可能なドライビングヘッドの下、厳密にコントロールされた既知の温度で、一定量の流体が重力の下で目盛りの付いた粘度計チューブの毛管を通って流れる時間を記録することによって計測された。動粘度は、測定されたフロー時間と粘度計チューブの較正定数との積である。使用された方法はＡＳＴＭ  Ｄ−４４５−０３（透明および不透明な液体の動粘度の標準的テスト方法）に従ったものである。
【００３２】
開示された添加剤組成物を潤滑組成物に加えることができる。ある態様では、該潤滑組成物には、少量の添加剤組成物と主要量の基油が含まれている。「少量」とは、潤滑組成物の総重量に対して５０重量％未満であることを意味する。また「主要量」とは、潤滑組成物の総重量に対して５０重量％あるいはそれ以上であることを意味するものとして理解される。
【００３３】
開示された添加剤組成物を、トップ処理剤として潤滑組成物に加えることができる。本明細書で使用されるトップ処理剤とは、部分的あるいは完全に調合された（完成した）潤滑流体に添加される流体組成物のことである。トップ処理剤はいつ添加してもかまわない。例えばトップ処理剤は、例えば工場で充填する際に製造業者によって；また例えばサービス時に添加する際に末端消費者によって；あるいは流体にトップ処理の特性をもたらすことを望むその他の任意の者により添加される。
【００３４】
基油は、例えば鉱油、植物油、パラフィン油、ナフテン油、芳香油などの天然油、合成油、それらの誘導体、およびそれらの混合物の中から選択される。合成油には、アルファ−オレフィンのオリゴマー、エステル、フィッシャー・トロプシュプロセスから得られるオイル、およびガス・ツー・リキッドストックのうち少なくとも一つが含むことができる。
【００３５】
これらの潤滑組成物は、火花点火および圧縮点火の内燃機関、２−サイクルエンジン、航空機用ピストンエンジン、船舶用および低負荷のディーゼルエンジン、その他のためのクランクケース潤滑油を含む、多様な用法において効果がある。該添加剤組成物は、モーターオイル、グリース、サッカーロッド潤滑剤、切削液、さらにスプレーチューブ潤滑剤などを含む、多種多様な潤滑剤中で役に立つ。当調合物が、オートマチックトランスミッション液、トランスアクスル潤滑剤、ギア潤滑剤、油圧油、および開示された組成物を混和することにより恩恵を受けるその他の潤滑油組成物に適用し得ることもまた意図されている。例えば潤滑組成物には、ステップオートマチックトランスミッションやマニュアルトランスミッションのような、任意のパワートランスミッション用に適した流体が含まれる。さらに該潤滑組成物は、滑りトルクコンバーター、ロックアップトルクコンバーター、始動クラッチ、および少なくとも一つのシフトクラッチを備えた、少なくとも一つのトランスミッション内での使用に適している。このようなトランスミッションとして、四速、五速、六速、および七速のトランスミッション、および無段変速機（チェーン、ベルト、またはディスクタイプ）がある。また、これらは自動マニュアルトランスミッションやデュアルクラッチトランスミッションに使用することもできる。
【００３６】
該組成物には、分散剤、非分散性粘度指数向上剤、過塩基性清浄剤、酸化防止剤、清浄剤、酸化マグネシウム、炭酸カルシウム、極圧（ＥＰ）添加剤、摩耗減少剤、消泡剤、摩擦調整剤、曇り防止剤、曇り点降下剤、流動点降下剤、鉱油および／または合成油、それらの混合物、およびそれらの組み合わせなど、その他の添加剤もまた含まれる。これらの添加剤は、単独で、あるいは追加の任意の添加剤パッケージ内などで組み合わせとして使用することができる。
【００３７】
現在のモーターオイルなどの潤滑剤組成物は、予め形成された添加剤パッケージと、精製または合成基油ストックとを組み合わせることによって作られる。潤滑剤組成物には、各種の異なった潤滑添加剤パッケージが含まれる。潤滑添加剤は液体である方が扱いや測定が簡便であるため、通常は固体であるような添加剤は少量の基油ストックに溶かされる。
【００３８】
いかなる特定の理論にも限定されることなく、少なくとも一つの分散剤の粘度指数［向上剤］により、組成物中の成分の混和性が向上され、および／または粘度が増加され、および／または組成物が安定化されると考えられている。ある態様において、該添加剤組成物は、約２℃から約５５℃、例えば約４℃から約５０℃、またさらなる例としては約２３℃などの範囲にわたる温度下で安定である。
【００３９】
いくつかの態様では、開示の添加剤組成物を車両、例えばトランスミッション中に加えることができるが、ここで該組成物はシールをスウエル添加させ、そのためシールから漏れるトランスミッション液の量を減少させることによってエンジンの性能を向上させる。さらに、少なくとも一つの分散性粘度指数向上剤と少なくとも二つのシールスウエル添加剤を含んでいない組成物に比べ、該添加剤組成物はより優れた安定性を有している。
【００４０】
別の態様において、少なくとも一つの分散性粘度指数向上剤と少なくとも二つのシールスウエル添加剤を組み合わせることを含んで成る、潤滑組成物の混和性を向上させる方法が開示されている。また、開示された添加剤組成物を潤滑システムに加えることを含んで成る、シール容積の増加の方法も開示されている。さらなる態様において、オートマチックトランスミッション液組成物には、上記のものや開示された添加剤組成物のような、潤滑粘度のオイルが含まれる。
【実施例】
【００４１】
例として、表１に開示された添加剤組成物を作るため、約１５重量％の分散剤ポリメタクリル酸エステル粘度指数向上剤を、約８５重量％のスルホンおよびジエステルシールスウエル添加剤に加え、混合物を作った。この混合物を約６５℃で約１時間、機械的にかくはんし、周囲温度まで冷やした。当添加剤組成物を４℃、周囲温度、または５０℃で８週間保存した後、かすみまたは沈殿などは見られなかった。結果を表２に表す。
【００４２】
潤滑システム内の添加剤組成物のシールスウエル特性を測定するため、添加剤組成物を潤滑システム（例：完全に調合された市販のＡＴＦ）に、約６５℃で１時間混合した。２００３年１０月発表の、デクスロン−ＩＩＩ（ＤＥＸＲＯＮ(R)−ＩＩＩ）「Ｈ」の仕様書ＧＭＮ  １００５５の添付資料Ｂに見られるＤＥＸＲＯＮシール用のデクスロン（ＤＥＸＲＯＮ(R)）エラストマーシールテスト法に基づいて、この混合物をテストした。該方法により、該方法で指定された条件下で潤滑組成物と物理的に接触した後の、容積変化すなわちスウエル、およびエラストマーシール材料の硬度の変化が測定される。［試験］結果と塩基性潤滑システムの参照用サンプルの比較を表１に示す。
【００４３】
【表１】
0004773921.tif 000002
コラムの一番目の数値は、シールが変化した容積％量を表す。すなわち、大きな正の数は、シール材料に正の容積変化（スウエル添加）が起きたことを示す。例えば、Ｖ３のシールのデータは、添加剤パッケージを含まない潤滑組成物の％容積変化量が１０．５１および１２．５１であることを表している。対照群の添加剤パッケージ（少なくとも一つの分散性粘度指数向上剤を含まないもの）が加えられた場合のシールの％容積変化量は１２．７０であった。また本発明の添加剤パッケージが加えられた場合のシールの％容積変化量は１５．７２であった。
【００４４】
コラムの二番目の数値は、ＧＭデクスロン−ＩＩＩ（ＤＥＸＲＯＮ(R)−ＩＩＩ）「Ｈ」の仕様書ＧＭＮ  １００５５、またはデクスロン−ＶＩ（ＤＥＸＲＯＮ(R)−ＶＩ）の仕様書ＧＭＮ１００６０、あるいはフォードメルコン（Ｆｏｒｄ  ＭＥＲＣＯＮ(R)）の仕様書を使用して測定された、硬度の変化を表す。すなわち、大きな負の数は、シール材料の柔らかさが増加したことを示す。再びＶ３のシールのデータを見ると、データは添加剤パッケージを含まない潤滑組成物の％硬度変化が−６と−６であることを表している。この数値は対照群の添加剤パッケージが加えられた場合にも変化しなかった。しかしながら、本発明の添加剤パッケージが添加されると、シールの％硬度変化は−９となった。
【００４５】
表１のデータから見られるように、本発明の添加剤パッケージを含んだ潤滑組成物は、スウエル添加を増加させより柔らかくなった（すなわち大きな負の数を示した）。さらに、対照群の添加剤パッケージと比べ、本発明の添加剤パッケージを使用すると、テストされたシールの大部分がよりよい結果を示すことが当データによって示されている。
【００４６】
本添加剤組成物を５０−ｍｌのシンチレーションバイアルに注ぎいれ、三ヶ月の保存安定性テストのため、低温、周囲温度、および高温条件下で保存した。使用条件の広い温度範囲における組成物の均質性を確実にするために、潤滑組成物の安定性が重要となる。表２のデータを見ると、添加剤組成物の混合状態が１から１０の段階で評価されている。かすみ、凝集（固体の懸濁）、または堆積物（固体の沈殿）などが見られたということ、すなわち評価が１０以下であるということは、添加剤組成物に互換性がないことを示している。本発明の添加剤組成物は、４℃、周囲温度、および５０℃で８４日間保存した後にも、透明で明るいことが観測された。
【００４７】
【表２】
0004773921.tif 000003
本明細書および添付の請求項について、特記されていない限り、明細書および請求項で使用されている数量、パーセンテージや比率、またその他の数値を表す数はすべて、あらゆる場合において「約」という言葉で修飾されているものとして理解される。従って、それに反する指定がない限り、以下の明細書および添付の請求項で示されている数値パラメータは、本開示が目指している希望の特性によって変化し得る近似値である。少なくとも、また当請求項の範囲に対する均等の原則の適用を制限する試みとしてではなく、各数値パラメータは少なくとも報告された多くの有効数字と通常の四捨五入の使用を考慮に入れて解釈されるべきものである。
【００４８】
本明細書および添付の請求項の英文において使用されている、「ａ」、「ａｎ」、および「ｔｈｅ」などの単数形を表す単語は、明白に、はっきりと単数の対象物に限定されていない限り、複数の意を含むことに注意されたい。従って、例えば「ａｎ  ａｎｔｉｏｘｉｄａｎｔ」という表現には二つあるいはそれ以上の異なった酸化防止剤が含まれる。また、ここで使用される「含む（ｉｎｃｌｕｄｅ）」という表現およびその文法的な変化形は、リストに挙げられた項目が、それらに代用するあるいは付加され得る他の同様の項目を除外しないように、非限定的であることを意図したものである。
【００４９】
特定の実施態様について説明してきたが、現時点で予見されていないあるいは予見できない代替案、変更、変化、改良点、および実質的に対応する内容が出願人あるいは当技術分野に精通した他の技術者に発見されることもある。従って、提出され、修正される可能性のある添付の請求項は、このような代替案、変更、変化、改良点、および実質的に対応する内容をすべて含むことを意図している。
【００５０】
本発明の主な特徴及び態様を挙げれば以下のとおりである。
１．少なくとも一つの分散性粘度指数向上剤と少なくとも二つのシールスウエル添加剤を含んで成る添加剤組成物。
２．少なくとも一つの分散性粘度指数向上剤がポリメタクリル酸エステル、オレフィンコポリマー、および水素化スチレンイソプレンポリマーから選択される、上記１に記載の組成物。
３．添加剤組成物の総重量に対し、重量比約１％から約７５％の範囲の量の、少なくとも一つの分散性粘度指数向上剤が存在している、上記１に記載の組成物。
４．添加剤組成物の総重量に対し、重量比約１０％から約５０％の範囲の量の、少なくとも一つの分散性粘度指数向上剤が存在している、上記１に記載の組成物。
５．少なくとも二つのシールスウエル添加剤のうち一方がジエステルであり、少なくとも二つのシールスウエル添加剤のもう一方がスルホンである、上記１に記載の組成物。
６．添加剤組成物の総重量に対し、重量比約１％から約７５％の範囲の量の、少なくとも二つのシールスウエル添加剤が存在している、上記１に記載の組成物。
７．添加剤組成物の総重量に対し、重量比約１０％から約５０％の範囲の量の、少なくとも二つのシールスウエル添加剤が存在している、上記１に記載の組成物。
８．少なくとも一つの分散性粘度指数向上剤がポリメタクリル酸エステルである、上記１に記載の組成物。
９．少なくとも二つのシールスウエル添加剤が油溶性エステル、油溶性スルホン、およびそれらの混合物から成る群から選択される、上記１に記載の組成物。
１０．油溶性エステルが、一塩基性アルコールのエステル、二塩基性アルコールのエステル、および一塩基性のエステルを含んだポリオールのエステルのなかの少なくとも一つである、上記９に記載の組成物。
１１．油溶性スルホンが以下のうち少なくとも一つを含んで成る置換スルホランである、上記９に記載の組成物：
（ａ）少なくとも四つの炭素原子を含んで成る炭化水素ベースのラジカル；
（ｂ）非炭化水素置換基を含んで成る置換炭化水素ラジカル；および
（ｃ）ヘテロラジカル。
１２．組成物の１００℃での動粘度が約２ｃＳｔから約５０ｃＳｔである、上記１に記載の組成物。
１３．組成物の１００℃での動粘度が約２ｃＳｔから約２０ｃＳｔである、上記１２に記載の組成物。
１４．組成物が様々な温度で安定性を示す、上記１に記載の組成物。
１５．組成物が約４℃から約５０℃で安定性を示す、上記１４に記載の組成物。
１６．組成物がエンジン潤滑剤である、上記１に記載の組成物。
１７．組成物がトランスミッション潤滑剤である、上記１に記載の組成物。
１８．組成物がギア潤滑剤である、上記１に記載の組成物。
１９．少量の上記１に記載の少なくとも一つの添加剤組成物を含んで成る潤滑剤組成物。
２０．さらに主要量の基油を含んで成る、上記１９に記載の組成物。
２１．基油が、鉱油、植物油、パラフィン油、ナフテン油、芳香油、合成油、ガス・ツー・リキッド、それらの誘導体、およびそれらの混合物の中から選択される、上記２０に記載の組成物。
２２．非分散性粘度指数向上剤、過塩基性清浄剤、酸化防止剤、清浄剤、酸化マグネシウム、炭酸カルシウム、極圧（ＥＰ）剤、摩耗減少剤、消泡剤、摩擦調整剤、曇り防止剤、曇り点降下剤、流動点降下剤、鉱油および／または合成油、それらの混合物、およびそれらの組み合わせの中から選択された少なくとも一つの追加的添加剤をさらに含む、上記１９に記載の組成物。
２３．少なくとも一つの分散性粘度指数向上剤と少なくとも二つのシールスウエル添加剤を含んで成る潤滑剤組成物への添加に適したトップ処理組成物。
２４．少なくとも一つの少量の添加剤組成物を含んで成る潤滑剤組成物であって、ここで添加剤組成物が主に少なくとも一つの分散性粘度指数向上剤と少なくとも二つのシールスウエル添加剤から成る潤滑剤組成物。
２５．少なくとも一つの分散性粘度指数向上剤と少なくとも二つのシールスウエル添加剤を組み合わせることを含んで成る、潤滑組成物の混和性を改善する方法。
２６．潤滑システムに、少なくとも一つの分散性粘度指数向上剤と少なくとも二つのシールスウエル添加剤を含む添加剤パッケージを加えることを含んで成る、シールの容積を増加させる方法。
２７．少なくとも一つの分散性粘度指数向上剤と少なくとも二つのシールスウエル添加剤を組み合わせることを含んで成る潤滑組成物の混和性を改善する方法であって、ここでシールスウエル添加剤の一方がジエステルであり、またシールスウエル添加剤のもう一方がスルホンである方法。
２８．潤滑性粘度のオイルと上記１に記載の添加剤組成物を含んで成る、オートマチックトランスミッション流体組成物。